(57)【要約】  基材を準備する準備工程と、前記基材にＶＯＳＯ4、Ｋ11Ｈ[（ＶＯ）3（ＳｂＷ9Ｏ33）2]、Ｎａ9［ＳｂＷ9Ｏ33］、オキサシリン及び５−クロロ−２−（２，４−ジクロロフェノキシ）フェノールを含む組成物を含有させる含有工程（Ｓ７）と、前記組成物を含有させた前記基材を乾燥させる乾燥工程（Ｓ８）とを含む。
2013115063.tif 000002
【特許請求の範囲】
【請求項１】
基材を準備する準備工程と、
前記基材にＶＯＳＯ4、Ｋ11Ｈ[（ＶＯ）3（ＳｂＷ9Ｏ33）2]、Ｎａ9［ＳｂＷ9Ｏ33］、オキサシリン及び５−クロロ−２−（２，４−ジクロロフェノキシ）フェノールを含む組成物を含有させる含有工程と、
前記組成物を含有させた前記基材を乾燥させる乾燥工程と
を含むことを特徴とするリネン製品の製造方法。
【請求項２】
前記リネン製品は、リネンタオルであることを特徴とする請求項１記載のリネン製品の製造方法。
【請求項３】
基材を準備する準備工程と、
前記基材を洗浄する洗浄工程と、
前記基材のすすぎを行うすすぎ工程と、
前記基材の脱水を行う脱水工程と、
前記基材にＶＯＳＯ4、Ｋ11Ｈ[（ＶＯ）3（ＳｂＷ9Ｏ33）2]、Ｎａ9［ＳｂＷ9Ｏ33］、オキサシリン及び５−クロロ−２−（２，４−ジクロロフェノキシ）フェノールを含む組成物を含有させる含有工程と、
前記組成物を含有させた前記基材を乾燥させる乾燥工程と
を含むことを特徴とするクリーニング方法。
【請求項４】
基材を準備する準備工程と、
前記基材を洗浄する洗浄工程と、
前記基材のすすぎを行うすすぎ工程と、
前記基材の脱水を行う脱水工程と、
前記基材を乾燥させる乾燥工程と、
乾燥させた前記基材にＶＯＳＯ4、Ｋ11Ｈ[（ＶＯ）3（ＳｂＷ9Ｏ33）2]、Ｎａ9［ＳｂＷ9Ｏ33］、オキサシリン及び５−クロロ−２−（２，４−ジクロロフェノキシ）フェノールを含む組成物を含有させる含有工程と
を含むことを特徴とするクリーニング方法。
【発明の詳細な説明】
【技術分野】
【０００１】
本発明は、抗菌活性及び抗ウイルス活性を有する組成物を使用したリネン製品の製造方法及びクリーニング方法に関するものである。
【背景技術】
【０００２】
ホテルや病院、介護施設等のレンタル先にレンタルされるリネンタオル、シーツ、枕カバー、テーブルクロス等のリネン製品は、衛生的であることが求められる。これらのリネン製品はレンタル先で使用され、使用された後に回収され、洗浄された後に再び使用される。ここで、リネン製品は様々な環境で使用されるため、リネン製品に種々の細菌やウイルスが付着し繁殖する虞があった。そこで、特許文献１においては抗菌効果をセレウス菌にも広げるためにビグアナイド誘導体を用いている。
【先行技術文献】
【特許文献】
【０００３】
【特許文献１】特開２０１０−２７５２１３号公報
【発明の概要】
【発明が解決しようとする課題】
【０００４】
ところで、種々の細菌に対する抗菌活性及び種々のウイルスに対する抗ウイルス活性を有する組成物を得ることを目的として、特定の細菌に対する抗菌活性を有する化合物や特定のウイルスに対する抗ウイルス活性を有する化合物を複数配合することが考えられる。しかし、これらの化合物を任意に選択して複数配合すると、配合した化合物同士が反応したり、各化合物の抗菌活性や抗ウイルス活性が阻害されたりすることが多いため、種々の細菌に対する抗菌活性及び種々のウイルスに対する抗ウイルス活性を有する組成物を得ることは困難であった。【０００５】
本発明の目的は、種々の細菌に対する抗菌活性及び種々のウイルスに対する抗ウイルス活性を有するリネン製品の製造方法及びこのような抗菌活性及び抗ウイルス活性を有する組成物を用いたクリーニング方法を提供することである。
【課題を解決するための手段】
【０００６】
本発明者らは、鋭意検討の結果、特定の金属酸化物クラスター化合物、特定の抗生物質及び特定の抗菌剤を選択すると、化合物同士が反応せず、かつ、各化合物が有する抗菌活性や抗ウイルス活性が阻害されないことを見出し、本発明を完成するに至った。【０００７】
本発明のリネン製品の製造方法は、基材を準備する準備工程と、前記基材にＶＯＳＯ4、Ｋ11Ｈ[（ＶＯ）3（ＳｂＷ9Ｏ33）2]、Ｎａ9［ＳｂＷ9Ｏ33］、オキサシリン及び５−クロロ−２−（２，４−ジクロロフェノキシ）フェノールを含む組成物を含有させる含有工程と、前記組成物を含有させた前記基材を乾燥させる乾燥工程とを含むことを特徴とする。また、前記リネン製品は、リネンタオルであることを特徴とする。【０００８】
また、本発明のクリーニング方法は、基材を準備する準備工程と、前記基材を洗浄する洗浄工程と、前記基材のすすぎを行うすすぎ工程と、前記基材の脱水を行う脱水工程と、ＶＯＳＯ4、Ｋ11Ｈ[（ＶＯ）3（ＳｂＷ9Ｏ33）2]、Ｎａ9［ＳｂＷ9Ｏ33］、オキサシリン及び５−クロロ−２−（２，４−ジクロロフェノキシ）フェノールを含む組成物を前記基材に含有させる含有工程と、前記組成物を含有させた前記基材を乾燥させる乾燥工程とを含むことを特徴とする。【０００９】
また、本発明のクリーニング方法は、基材を準備する準備工程と、前記基材を洗浄する洗浄工程と、前記基材のすすぎを行うすすぎ工程と、前記基材の脱水を行う脱水工程と、前記基材を乾燥させる乾燥工程と、乾燥させた前記基材にＶＯＳＯ4、Ｋ11Ｈ[（ＶＯ）3（ＳｂＷ9Ｏ33）2]、Ｎａ9［ＳｂＷ9Ｏ33］、オキサシリン及び５−クロロ−２−（２，４−ジクロロフェノキシ）フェノールを含む組成物を含有させる含有工程とを含むことを特徴とする。
【発明の効果】
【００１０】
本発明によれば、種々の細菌に対する抗菌活性及び種々のウイルスに対する抗ウイルス活性を有するリネン製品の製造方法及びこのような抗菌活性及び抗ウイルス活性を有する組成物を用いたクリーニング方法を提供することができる。
【図面の簡単な説明】
【００１１】
【図１】本発明の実施の形態に係るクリーニング方法を示すフローチャートである。
【発明を実施するための形態】
【００１２】
以下、図面を参照して本発明の実施の形態に係るリネン製品の製造方法及びクリーニング方法について説明する。本発明においてリネン製品としては、リネンタオル、シーツ、ピローケース、テーブルクロス、ナプキン、浴衣、ガウン、白衣、病衣、吸塵マット、吸水マット等が挙げられる。これらのリネン製品は、リネンサプライ業者によりホテル、病院、介護施設等のレンタル先にレンタルされる。使用された後にリネンサプライ業者により回収され、洗浄された後再びレンタル先にレンタルされる。
【００１３】
図１は、実施の形態に係るクリーニング方法を示すフローチャートである。回収されたリネン製品を洗濯機のクリーニング槽に入れ、洗剤を投入して本洗を行い（ステップＳ１）、低速脱水を所定時間行う（ステップＳ２）。ここで、本洗は６０℃以上の所定温度、中水位にて、１０分以上の所定時間行う。
【００１４】
次に清浄な水を用いてクリーニング槽を高水位とし、所定温度で所定時間１回目のすすぎを行い（ステップＳ３）、低速脱水を所定時間行う（ステップＳ４）。さらに、清浄な水を用いてクリーニング槽を高水位とすると共に、遊離塩素が２５０ｐｐｍとなるようにさらし粉または次亜塩素酸ナトリウムを加え、所定温度で所定時間２回目のすすぎを行い（ステップＳ５）、低速脱水を所定時間行う（ステップＳ６）。
【００１５】
その後、清浄な水を用いてクリーニング槽を中水位とすると共に、ＭＰＭ組成物を加え、所定温度で所定時間３回目のすすぎを行う（ステップＳ７）。
【００１６】
ここで、ＭＰＭ組成物は、ＶＯＳＯ4、Ｋ11Ｈ[（ＶＯ）3（ＳｂＷ9Ｏ33）2]、Ｎａ9［ＳｂＷ9Ｏ33］、オキサシリン及びイルガサン（体系名：５−クロロ−２−（２，４−ジクロロフェノキシ）フェノール）を所定の割合で処方したものである。ここで、これらの化合物の配合比は特に限定されないが、ＭＰＭ組成物中、[（ＶＯ）3（ＳｂＷ9Ｏ33）2]の１モルに対しＶＯＳＯ4は好ましくは０．１〜２０モル、さらに好ましくは４〜８モル、Ｎａ9［ＳｂＷ9Ｏ33］は好ましくは０．１〜３０モル、さらに好ましくは１０〜２０モル、オキサシリンは好ましくは０．１〜３０モル、さらに好ましくは５〜１５モル、イルガサンの配合比は好ましくは１モル以下、さらに好ましくは０．２モル以下である。
また、ＶＯＳＯ4、Ｋ11Ｈ[（ＶＯ）3（ＳｂＷ9Ｏ33）2]、Ｎａ9［ＳｂＷ9Ｏ33］、オキサシリンをモル比で５．５：１：１７．３：１２．５の割合で使用することが特に好ましい。また、イルガサンの配合量はモル比でＫ11Ｈ[（ＶＯ）3（ＳｂＷ9Ｏ33）2]の１０％程度とする等、他の４種の化合物の配合量よりも少なくすることが特に好ましい。
【００１７】
ＭＰＭ組成物を構成するＶＯＳＯ4、Ｋ11Ｈ[（ＶＯ）3（ＳｂＷ9Ｏ33）2]、Ｎａ9［ＳｂＷ9Ｏ33］は、polyoxometalates（ＰＭ化合物）と呼ばれる金属酸化物クラスターに属する化合物である。ここで、ＰＭ化合物は、ポリ酸イオンを有する金属酸化物クラスター化合物であり、ＰＭ化合物に属する各化合物は、文献２（ジャーナルオブマテリアルケミストリー、１５巻、４７７３−４７８２ページ、２００５年、英国王立化学会）に記載されているように抗菌活性や抗ウイルス活性など、それぞれに特有の生物活性を有する。なお、ポリ酸とは、遷移金属元素（Ｗ（ＶＩ）、Ｖ（Ｖ）など）によって構成される金属酸化物クラスター化合物をいい、金属原子などに酸素原子が、通常４又は６配位した四面体又は八面体を基本単位として、この基本単位が稜又は頂点を介して結合した構造を有するものである。
【００１８】
オキサシリンは黄色ブドウ球菌等の細菌に対する活性を示す抗生物質であり、かつ、インフルエンザウイルス等のウイルスに対して活性を示す化合物である。オキサシリンとＰＭ化合物とを共に処方することにより、オキサシリンを単独で使用する場合よりも高い抗菌活性を得ることができる。また、イルガサンは、一般細菌に対して抗菌活性を有する化合物である。
【００１９】
ＭＰＭ組成物を水に溶解させて水溶液として用いる場合には、ＭＰＭ組成物を構成するそれぞれの化合物が最低有効濃度以上となるようにＭＰＭ水溶液を調製する。ＭＰＭ水溶液中においてＭＰＭ組成物を構成する各化合物の濃度は、ＶＯＳＯ4、Ｋ11Ｈ [（ＶＯ）3（ＳｂＷ9Ｏ33）2]、Ｎａ9［ＳｂＷ9Ｏ33］、オキサシリン及びイルガサンについてそれぞれ１〜５０、１０〜３００、５０〜１５００、５〜２００、０．０１〜３μｇ／ｍＬであることが好ましく、２０〜４０、５０〜１５０、５００〜１３００、５０〜２００、０．１〜１μｇ／ｍＬであることがさらに好ましい。また、ＭＰＭ水溶液中においてＭＰＭ組成物を構成する各化合物の濃度は、ＶＯＳＯ4、Ｋ11Ｈ [（ＶＯ）3（ＳｂＷ9Ｏ33）2]、Ｎａ9［ＳｂＷ9Ｏ33］、オキサシリン及びイルガサンについてそれぞれ２５、１１５、１０００、１００、０．６μｇ／ｍＬであることが特に好ましい。
【００２０】
また、ＭＰＭ組成物は、リネン製品の製造工程における温度範囲であれば、抗菌、抗ウイルス活性を保持することができ、高温となった場合でも比較的安定である。ＭＰＭ組成物を構成する各化合物は、化合物同士が反応せず、かつ、各化合物が有する抗菌活性や抗ウイルス活性が阻害されない。また、これらは人体に対して肌荒れ等を起こさない安全性の高い化合物である。さらに、ＭＰＭ組成物は、人体に蓄積しない安全性の高い化合物である。
【００２１】
３回目のすすぎを終了すると、高速脱水を所定時間行う（ステップＳ８）。次いで、高速脱水を終えたリネン製品をクリーニング槽から取り出し、乾燥機にて所定温度で所定時間乾燥させる（ステップＳ９）。
【００２２】
上述のクリーニング方法によりＭＰＭ組成物を含有したリネン製品を製造することができる。また、リネン製品にＭＰＭ組成物を含有させた後に、リネン製品を折りたたんだり、巻いたりするなど所定の形状を付与してもよいし、リネン製品をフィルム等により包装してもよい。
クリーニング槽から排出されるＭＰＭ組成物等を含む排水は、微生物処理法により排水処理を行う処理槽に集められる。
【００２３】
この実施の形態によれば、種々の細菌に対する抗菌活性及び種々のウイルスに対する抗ウイルス活性を有するリネン製品を製造することができる。また、この実施の形態のクリーニング方法によりクリーニングされたリネン製品に、種々の細菌に対する抗菌活性及び種々の細菌に対する抗ウイルス活性を付与することができる。さらに、ＭＰＭ組成物は防カビ効果も有するため、リネン製品に防カビ効果を付与することができる。
【００２４】
また、有機溶媒ではなく水溶液を用い、かつ、ＭＰＭ組成物を用いるため、人体に対する肌荒れ等の影響を防ぐことができる。また、優れた抗菌活性、優れた抗ウイルス活性及び優れた防カビ効果を有する組成物をリネン製品に安価で含有させることができる。また、ＭＰＭ組成物を含む排水は、微生物処理法を行う処理槽の微生物（バクテリア）に対して死滅させる等の悪影響を及ぼさない。
【００２５】
なお、上述の実施の形態においては、３回目のすすぎの際にリネン製品にＭＰＭ組成物を含有させる構成としたが、リネン製品にＭＰＭ組成物を含有させることができる構成であれば、どの工程でリネン製品にＭＰＭ組成物を含有させてもよい。例えば、１回目のすすぎの際や２回目のすすぎの際にリネン製品にＭＰＭ組成物を含有させてもよい。
【００２６】
また、上述の実施の形態において、３回目のすすぎの際にリネン製品にＭＰＭ組成物を含有させる構成としたが、乾燥後にＭＰＭ組成物を含有させる構成としてもよい。この場合には、ＭＰＭ組成物を水に溶解させたＭＰＭ水溶液をリネン製品に対して噴霧することにより、リネン製品にＭＰＭ組成物を含有させる。噴霧の際には、公知の噴霧装置を用いることができるが、ＭＰＭ水溶液を微粒子にしてリネン製品に対して均一にくまなく噴霧することができる噴霧装置を用いることが好ましい。
【００２７】
また、上述の実施の形態において用いる洗濯機としては特に限定されない。１つのクリーニング槽を有する洗濯機を用いてもよいし、本洗・すすぎ等をそれぞれ単独槽で行うバッチ式洗濯機を用いてもよいし、本洗用・すすぎ用等の複数のクリーニング槽を並列に設け、リネン製品等の洗濯対象物をクリーニング槽間で移動させながら洗濯を行う連続式洗濯機を用いてもよい。
【００２８】
また、上述の実施の形態のクリーニング方法における各工程は一例であり、基材の種類や色に応じて加える洗剤や各工程の回数等を適宜変更してもよい。
【００２９】
また、上述の各実施の形態においては、リネン製品にＭＰＭ組成物を含有させる構成としたが、ＭＰＭ組成物をハンドソープ等の石鹸類に含有させてもよいし、マスクや綿棒等の衛生用品に含有させてもよい。また、トイレや浴槽、キッチン、食器、衣服等に用いる住居用洗剤、台所用洗剤、衣料用洗剤等に含有させてもよい。また、化粧水や乳液等の化粧品に含有させてもよい。また、自動車の排気フィルターにＭＰＭ組成物を含有させてもよいし、エアコンのフィルターにＭＰＭ組成物を含有させてもよい。
【００３０】
また、ＭＰＭ水溶液をスプレー容器に充填して住居等の床や壁、住居に設置されたテーブル等のタイル、金属、プラスチック、ガラス、木等により構成される住居内の固定物及び家具等に用いる住居用抗菌・抗ウイルス剤として使用してもよい。また、ＭＰＭ水溶液をスプレー容器に充填してトイレや浴槽、キッチン、衣服等に用いる台所用抗菌・抗ウイルス剤、衣料用抗菌・抗ウイルス剤として用いてもよい。また、ＭＰＭ水溶液を防カビ剤として用いてもよい。なお、上述のようにＭＰＭ水溶液は他の薬剤等の成分の効能を阻害せず、また、ＭＰＭ水溶液の抗菌、抗ウイルス活性は他の薬剤等により阻害されないため、ＭＰＭ水溶液に他の薬剤等を含有させてもよい
【００３１】
ここで、ＶＯＳＯ4、Ｋ11Ｈ[（ＶＯ）3（ＳｂＷ9Ｏ33）2]、Ｎａ9［ＳｂＷ9Ｏ33］、オキサシリン及びイルガサンをモル比で５．５：１：１７．３：１２．５：０．１となるように配合したＭＰＭ組成物を水に溶解させた場合のＭＰＭ水溶液のＭＩＣ（最小発育阻止濃度）は、表１に示すものとなる。
【００３２】
【表１】
2013115063.tif 000003
【００３３】
表１に示すように、ＭＰＭ水溶液に含まれるＭＰＭ組成物の濃度が低い場合であっても細菌等の微生物の発育を阻止することができ、また、ＭＰＭ水溶液は広い抗菌スペクトルを有する。即ち、ＭＰＭ水溶液は幅広い菌種に対して活性を有する。さらに、ＭＰＭ水溶液はＭＲＳＡ（メチシリン耐性黄色ブドウ球菌）に対しても活性を有する。
また、ＭＰＭ水溶液は、水溶液として安定であり、長期間の保存も可能である。
【実施例】
【００３４】
以下、実施例を用いて本発明をさらに具体的に説明する。【００３５】
（一般細菌の検査洗浄テスト）
（実施例１−１）
まず、検体としてのタオルを洗濯機（１５０Ｋワッシャー）に入れて洗浄、脱水及びすすぎを行った。洗濯機を用いた工程は、表２に示すように行った。即ち、本洗を１回、すすぎを３回行い、本洗及びすすぎ２回目に濃度１２％の次亜塩素酸ナトリウム２０００ｃｃをそれぞれ加えた。また、本洗の際にはさらに合成洗剤（コスモクリーン）１８００ｃｃ及びＴＫ２０００（アルカリ助剤）５００ｃｃを加えた。また、すすぎの３回目にはＭＰＭ組成物（配合比は、モル比でＶＯＳＯ4：Ｋ11Ｈ[（ＶＯ）3（ＳｂＷ9Ｏ33）2]：Ｎａ9［ＳｂＷ9Ｏ33］：オキサシリン：イルガサン＝５．５：１：１７．３：１２．５：０．１でそれぞれ２５、１１５、１０００、１００、０．６μｇ／ｍＬを含むＭＰＭ水溶液１００ｃｃを加えた。【００３６】
【表２】
2013115063.tif 000004
【００３７】
次に、ストマッカー法により抽出液を得て試料とした。即ち、ストマッカー用減菌ポリ袋にタオル１枚及び減菌生理食塩水１００ｍｌを入れ、ストマッカーで３分間程度処理して抽出液を得た。ストマッカー法により抽出液を得る際に用いるタオルとして、洗浄を行った直後のタオル、洗浄後１週間工場にて常温保管したタオル、洗浄後２週間工場にて常温保管したタオルの３種類を用いた。また、各条件について、２つの検体（タオル）について洗浄テストを行った。【００３８】
次に試料１ｍｌを採り、減菌生理食塩水を用いて、４〜５段階まで１０倍希釈を行い、減菌ペトリ皿に希釈液を１ｍｌずつを入れた。これにあらかじめ溶解して約４５℃に保った標準寒天培地約１５ｍｌを加え、静かに回転混合して冷却凝固させ、さらに標準寒天培地約５ｍｌを重層して静置した。【００３９】
凝固後、これを倒置して３５℃で２日間培養した後、発生した集落を数え、計算により細菌数を算定した。１つの検体（タオル）についての試料をペトリ皿で培養した一般細菌の細菌数をＡ−１、もう１つの検体（タオル）についての試料をペトリ皿で培養した一般細菌の細菌数をＡ−２として表３に示した。【００４０】
（実施例１−２）
すすぎ３回目に加えるＭＰＭ水溶液の量を１５０ｃｃとした以外は、実施例１−１と同様の処理を行った。また、１つの検体（タオル）についての試料をペトリ皿で培養した一般細菌の細菌数をＢ−１、もう１つの検体（タオル）についての試料をペトリ皿で培養した一般細菌の細菌数をＢ−２として表３に示した。【００４１】
【表３】
2013115063.tif 000005
【００４２】
表２に示すようにＭＰＭ水溶液を多く入れた方が、菌の増殖を抑制することができることが分かった。また、最初の１週間で菌が減少することが分かった。また、２週間目でもほとんど菌の増殖が見られなかった。従って、ＭＰＭ組成物の一般細菌に対する活性が示された。【００４３】
（ウイルスの検査洗浄テスト）
（実施例２−１）
実施例１−１と同様に洗濯機を用いてタオルの洗浄、すすぎ及び脱水を行った。その後、タオルにインフルエンザウイルスを噴霧し、インフルエンザウイルス噴霧１時間後に、ストマッカー法により抽出液を得て試料とした。【００４４】
次に試料１ｍｌを採り、減菌希釈水を用いて、４〜５段階まで１０倍希釈を行い、減菌ペトリ皿に希釈液を１ｍｌずつ入れた。これにあらかじめ溶解して約４５℃に保った標準寒天培地約１５ｍｌを加え、静かに回転混合して冷却凝固させ、さらに標準寒天培地約５ｍｌを重層して静置した。【００４５】
凝固後、これを倒置して３５℃で２日間培養した後、細胞内ウイルス粒子の変動を蛍光顕微鏡により観察し、発生した集落を数え、計算によりウイルス感染力価を算定した。なお、この操作を４つの検体について行い、それぞれの結果及び平均値を表４に示した。【００４６】
（実施例２−２）
すすぎ３回目に加えるＭＰＭ水溶液の量を１５０ｃｃとした以外は、実施例２−１と同様の処理を行った。なお、この操作は４つの検体について行い、それぞれの結果及び平均値を表３に示した。【００４７】
（比較例２−１）
すすぎ３回目にＭＰＭ水溶液を加えなかった以外は、実施例２−１と同様の処理を行った。なお、この操作は４つの検体について行い、それぞれの結果及び平均値を表４に示した。【００４８】
【表４】
2013115063.tif 000006
【００４９】
これらの結果よりＭＰＭ組成物を用いた場合には、ＭＰＭ組成物を用いない場合に比べて平均ウイルス感染価が約１／１００となり、ＭＰＭ組成物の抗ウイルス効果が示された。【００５０】
（セレウス菌の検査洗浄テスト）
（実施例３−１）
実施例１−１と同様に洗濯機を用いてタオルの洗浄、すすぎ及び脱水を行った。その後、このタオルを検体として、ＪＩＳ  Ｌ  １９０２：２００８「繊維製品の抗菌性試験方法及び抗菌効果」における１０定量試験の１０．１菌液吸収法に基づいて検体の抗菌力試験を行った。この抗菌力試験においては、Becillus cereus IFO13494（セレウス菌）の１菌株を用いた。また、検体に対する高圧蒸気滅菌（１２１℃、１５分間）は行わなかった。また、対照としては、すすぎ３回目にＭＰＭ水溶液を加えなかったタオルを用いた。
セレウス菌の接種直後及び３７℃、１８時間培養後の試験片中の生菌数を測定し、表５に示した。【００５１】
【表５】
2013115063.tif 000007
【００５２】
（実施例３−２）
抗菌力試験において用いる菌の種類をBecillus cereus IFO13494（セレウス菌，芽胞）とした以外は、実施例３−１と同様に試験を行った。結果を表６に示す。【００５３】
【表６】
2013115063.tif 000008
【００５４】
表５及び表６に示す結果よりＭＰＭ組成物を用いた場合には、ＭＰＭ組成物を用いない場合に比べてセレウス菌及びセレウス菌（芽胞）の生菌数を抑制することができ、ＭＰＭ組成物の抗セレウス菌効果が示された。【００５５】
（ＭＲＳＡの検査洗浄テスト）
（実施例４−１）
実施例１−１と同様に洗濯機を用いてタオルの洗浄、すすぎ及び脱水を行い、ストマッカー法により抽出液を得て、試料とした。この試料を希釈した検体希釈液（１／２０濃度のNutrient Brothで調製した検体の１００倍、１０００倍、１００００倍希釈液）１０ｍＬに試験菌液を０．１ｍＬ接種し、試験液とした。【００５６】
ここで、試験菌液は、試験菌（Staphylococcus aureus，IID 1677（ＭＲＳＡ））をNutrient Agar (Difco)で３７℃±１℃、１６〜２０時間培養した後、１／２０濃度のNutrient Broth (Difco)に浮遊させ、菌数が１０6〜１０7／ｍＬとなるように調製したものを用いた。【００５７】
試験液を３７℃±１℃で保存し、開始時、１５秒、１時間及び２４時間後の試験液を菌数測定用培地上で直ちに１０倍に希釈し、試験液中の生菌数を用いて測定した。なお、菌数測定用培地は、ＳＣＤＬＰ寒天培地（日本製薬株式会社製）を混釈平板培養法により３５℃±１℃で２日間培養した。【００５８】
また、対照として、１／２０濃度のNutrient Brothを用いて同様に試験を行い、開始時、１時間及び２４時間後について生菌数の測定を行った。結果を表７に示す。【００５９】
【表７】
2013115063.tif 000009
【００６０】
表７に示すように、ＭＰＭ組成物を用いた場合には、ＭＰＭ組成物を用いない場合に比べてＭＲＳＡの生菌数を抑制することができ、ＭＰＭ組成物の抗ＭＲＳＡ効果が示された。【００６１】
（排水の測定）
実施例１−１のように洗濯機を用いた工程で排出されるＭＰＭ組成物を含む排水を処理槽に集めた。この処理槽の排水について、水素イオン濃度（ｐＨ）、化学的酸素要求量（ＣＯＤ）、生物化学的酸素要求量（ＢＯＤ）及び浮遊物質量（ＳＳ）、ヘキサン抽出物質、大腸菌群数、全窒素及び全りんの各項目について測定を行った。なお、測定は日時を変えて計３回行った。結果を表８に示す。【００６２】
【表８】
2013115063.tif 000010
【００６３】
表８に示すように処理槽の排水は、環境基準を満たし、微生物処理法を行う処理槽の微生物（バクテリア）に対して死滅させる等の悪影響を及ぼさない。
【図１】
2013115063.tif 000011
【国際調査報告】
2013115063.tif 000012
2013115063.tif 000013